(57)【特許請求の範囲】
【請求項１】
基地局と無線通信を行う無線端末において、
前記基地局の無線測定とページング信号のモニタとを行う通信部と、
第１の区間と第２の区間とを設定し、ＮＡＳ（Ｎｏｎ−Ａｃｃｅｓｓ  Ｓｔｒａｔｕｍ）メッセージで前記基地局から前記第１の区間および前記第２の区間についての情報を受信し、前記第１の区間では前記無線測定と前記モニタとを行うように前記通信部を制御し、前記第１の区間の後の前記第２の区間では前記無線測定と前記モニタとを行わないように前記通信部を制御できる制御部を有し、
前記制御部はさらに、前記第２の区間中に発生した前記無線端末の上りデータを送信するために、前記第２の区間を終了し前記無線測定と前記モニタとを再開するように制御する
ことを特徴とする、無線端末。
【請求項２】
前記第１の区間と前記第２の区間とを実施するための期間が、ＮＡＳ（Ｎｏｎ−Ａｃｃｅｓｓ  Ｓｔｒａｔｕｍ）アタッチアクセプトによって通知される
ことを特徴とする、請求項１に記載の無線端末。
【請求項３】
無線端末と、前記無線端末と無線通信を行う基地局とを含む無線通信システムにおいて、
前記無線端末は、
前記基地局の無線測定とページング信号のモニタとを行う通信部と、
第１の区間と第２の区間とを設定し、ＮＡＳ（Ｎｏｎ−Ａｃｃｅｓｓ  Ｓｔｒａｔｕｍ）メッセージで前記基地局から前記第１の区間および前記第２の区間についての情報を受信し、前記第１の区間では前記無線測定と前記モニタとを行うように前記通信部を制御し、前記第１の区間の後の前記第２の区間では前記無線測定と前記モニタとを行わないように前記通信部を制御できる制御部と、を有し、
前記制御部はさらに、前記第２の区間中に発生した前記無線端末の上りデータを送信するために、前記第２の区間を終了し前記無線測定と前記モニタとを再開するように制御する
ことを特徴とする、無線通信システム。
【請求項４】
第１の区間と前記第１の区間の後の第２の区間とを設定する無線端末と無線通信を行う基地局において、
前記無線端末が前記基地局の無線測定とページング信号のモニタとを行うように通信を制御する前記第１の区間、および、前記無線端末において前記無線測定と前記モニタとを行わないように通信を制御でき、前記無線端末において前記第２の区間中に発生した前記無線端末の上りデータを送信するために前記無線測定と前記モニタとを再開できるように終了される前記第２の区間についての情報をＮＡＳ（Ｎｏｎ−Ａｃｃｅｓｓ  Ｓｔｒｕｔａｍ）メッセージで前記無線端末に送信する通信部を有する
ことを特徴とする基地局。
【請求項５】
基地局と無線通信を行う無線端末における無線通信方法において、
前記基地局の無線測定とページング信号のモニタとを行い、
第１の区間と第２の区間とを設定し、ＮＡＳ（Ｎｏｎ−Ａｃｃｅｓｓ  Ｓｔｒａｔｕｍ）メッセージで前記基地局から前記第１の区間および前記第２の区間についての情報を受信し、前記第１の区間では前記無線測定と前記モニタとを行うように通信部を制御し、前記第１の区間の後の前記第２の区間では前記無線測定と前記モニタとを行わないように前記通信部を制御でき、
前記第２の区間中に発生した前記無線端末の上りデータを送信するために、前記第２の区間を終了し前記無線測定と前記モニタとを再開するように制御する
ことを特徴とする無線通信方法。
【発明の詳細な説明】
【技術分野】
【０００１】
本件は、無線通信を行う無線端末、無線通信システム、基地局およびその無線通信方法に関する。
【背景技術】
【０００２】
セルラ型の移動通信は、ＵＭＴＳ（Universal Mobile Telecommunication System）から、ＬＴＥ（Long Term Evolution）に進化した。ＬＴＥでは、無線アクセス技術としてＯＦＤＭ（Orthogonal Frequency Division Multiplexing）をベースとした方式が規定され、下りのピーク伝送レートは１００Ｍｂ／ｓ以上、上りのピーク伝送レートは５０Ｍｂ／ｓ以上の高速無線パケット通信が可能となる。
【０００３】
国際標準化団体である３ＧＰＰ（3rd Generation Partnership Project）では現在、さらなる高速通信の実現に向けて、ＬＴＥをベースとしたＬＴＥ−Ａ（LTE-Advanced）の検討が始まっている。ＬＴＥ−Ａでは、下りのピーク伝送レートは１Ｇｂ／ｓ、上りのピーク伝送レートは５００Ｍｂ／ｓを目指しており、無線アクセス方式やネットワークアーキテクチャなど、様々な新技術の検討が行われている（例えば、非特許文献１〜３参照）。一方で、ＬＴＥ−Ａは、ＬＴＥをベースとしたシステムとなるため後方互換性を保つことも重要となる。
【０００４】
ＬＴＥまたはＬＴＥ−Ａでは、無線端末のアイドルモードにおける動作として、セル選択が規定されている。具体的には、セルセレクション（cell selection）とセルリセレクション（cell reselection）が規定されている（例えば、非特許文献４，５参照）。
【０００５】
セルセレクションは、無線端末が電源を投入し、ＰＬＭＮ（Public Land Mobile Network：移動体通信事業者）が選択されると実施される。セルセレクションは、さらに、無線端末がセルの情報を知らずに実施するセルセレクション（initial cell selection）と、移動局がセルの情報を知った上で実施するセルセレクション（stored information cell selection）とが規定されている。
【０００６】
セルセレクションでは、無線端末は無線品質を測定し、無線品質のよいセルをサービングセルとして選択してネットワークにキャンプオンする。より具体的には、ＲＳＲＰ（Reference Signal Received Power）とＲＳＲＱ（Reference Signal Received Quality）によって定められるセル選択基準「Ｓ」を満足すれば、そのセルにキャンプオンすることができる（例えば、非特許文献４参照）。無線端末は、ネットワークにキャンプオンすることにより着呼が可能になる。セルリセレクションは、さらに無線品質のよいセルを検出するために実施され、よりよい無線品質が検出されると、そのセルにキャンプオンする。
【０００７】
よりよい無線品質のセルを検出するため、アイドルモードにおける無線測定（measurement）が規定されている（例えば、非特許文献５参照）。アイドルモードにおいては、無線端末の消費電力と無線測定との精度の兼ね合いをとることが要求される。
【０００８】
例えば、消費電力を抑えるためにメジャーメントの頻度を落とすと、メジャーメントの精度が劣化し、適切なセルにキャンプオンできない場合が生じる。他方、メジャーメントの精度を上げるために、メジャーメントの頻度を上げると、消費電力が上昇する。このような点を考慮し、ＤＲＸ（Discontinuous Reception）が規定されている（例えば、非特許文献５参照）。
【０００９】
ＤＲＸのＤＲＸサイクル値は、基地局が報知する報知情報により取得する場合と、上位レイヤであるＮＡＳ（Non Access Stratum）が設定する場合がある。無線端末は、少なくともＤＲＸごとに１回はメジャーメントを行い、無線品質をサンプリングする。そして、無線端末は、ＤＲＸの関数によって規定されるサンプリング間隔で無線品質を平均化し、無線品質の測定値の算出を行う。
【００１０】
また、アイドルモードの無線端末は、着信を検出するために、ページング信号を定期的にモニタする。無線端末は、上記のメジャーメントの場合と同様に、ページング信号をモニタする頻度を下げると、通信遅延が発生し、ページング信号をモニタする頻度を上げると、消費電力が上昇する。そのため、ページング信号のモニタは、ＤＲＸサイクル内で１回だけ実施することが規定されている（例えば、非特許文献４参照）。
【００１１】
このように、無線端末は、メジャーメントのサイクルであるＤＲＸサイクル内で、メジャーメントとページング信号のモニタとを実施することにより、消費電力を考慮したセル選択および着信検出を実施することができる。
【先行技術文献】
【非特許文献】
【００１２】
【非特許文献１】3GPP TR36.913 V9.0.0
【非特許文献２】3GPP TR36.912 V9.3.0
【非特許文献３】3GPP TS36.300 V10.4.0
【非特許文献４】3GPP TS36.304 V10.2.0
【非特許文献５】3GPP TS36.133 V10.3.0
【発明の概要】
【発明が解決しようとする課題】
【００１３】
ところで、メジャーメントとセル選択を実施すべきか否かの判定は、少なくともＤＲＸサイクル毎に１回の間隔で行うように規定されている。また、メジャーメントの測定値算出においては、メジャーメントによって得られた無線品質のサンプル値（具体的にはＲＳＲＰおよびＲＳＲＱの値）はフィルタリングされ、少なくともＤＲＸの半分の間隔は空けて平均化を行うように規定されている（例えば、非特許文献５参照）。
【００１４】
そのため、無線端末の消費電力を抑制するために、ＤＲＸサイクルを大きくすると、メジャーメントのサンプリング間隔も長くなり、メジャーメントの精度が劣化するという問題点があった。
【００１５】
本件はこのような点に鑑みてなされたものであり、メジャーメントの劣化を抑制することができる無線端末、無線通信システム、基地局および無線通信方法を提供することを目的とする。
【課題を解決するための手段】
【００１６】
上記課題を解決するために、基地局と無線通信を行う無線端末において、基地局の無線測定とページング信号のモニタとを行う通信部と、第１の区間と第２の区間とを設定し、ＮＡＳ（Ｎｏｎ−Ａｃｃｅｓｓ  Ｓｔｒａｔｕｍ）メッセージで基地局から第１の区間および第２の区間についての情報を受信し、第１の区間では無線測定とモニタとを行うように通信部を制御し、第１の区間の後の第２の区間では無線測定とモニタとを行わないように通信部を制御できる制御部を有し、制御部はさらに、第２の区間中に発生した無線端末の上りデータを送信するために、第２の区間を終了し無線測定とモニタとを再開するように制御することを特徴とする、無線端末が提供される。
【発明の効果】
【００１７】
開示の装置および方法によれば、メジャーメントの劣化を抑制することができる。
本発明の上記および他の目的、特徴および利点は本発明の例として好ましい実施の形態を表す添付の図面と関連した以下の説明により明らかになるであろう。
【図面の簡単な説明】
【００１８】
【図１】第１の実施の形態に係る無線端末を説明する図である。
【図２】第２の実施の形態に係る無線通信システムを示した図である。
【図３】無線端末の機能ブロック図である。
【図４】無線端末のハードウェア構成例を示した図である。
【図５】基地局の機能ブロック図である。
【図６】基地局のハードウェア構成例を示した図である。
【図７】無線端末のタイミングチャートのその１である。
【図８】無線端末のタイミングチャートのその２である。
【図９】無線端末のフローチャートである。
【図１０】基地局のフローチャートである。
【図１１】第３の実施の形態に係る無線端末のタイミングチャートである。
【図１２】ＤＲＸのマスクパターンを説明する図である。
【図１３】無線端末のフローチャートである。
【図１４】基地局のフローチャートである。
【図１５】第４の実施の形態に係る無線端末のタイミングチャートである。
【図１６】無線端末のフローチャートである。
【図１７】基地局のフローチャートである。
【図１８】第５の実施の形態に係る無線端末のタイミングチャートである。
【図１９】無線端末のフローチャートである。
【図２０】基地局のフローチャートである。
【図２１】第６の実施の形態に係る無線端末のタイミングチャートである。
【図２２】ＮＡＳアタッチプロシージャおよびＮＡＳデタッチプロシージャの動作を説明する図である。
【図２３】無線端末のフローチャートである。
【図２４】基地局のフローチャートである。
【発明を実施するための形態】
【００１９】
以下、実施の形態を、図面を参照して詳細に説明する。
［第１の実施の形態］
図１は、第１の実施の形態に係る無線端末を説明する図である。図１に示すように、無線端末１は、通信部１ａおよび制御部１ｂを有している。図１に示す矢印Ａ１〜Ａ３は、無線端末１が行う、図示していない基地局のメジャーメントと、ページング信号のモニタのタイミングを示している。図１中のｍは、無線端末１が行う、図示していない基地局のメジャーメントを行うタイミングを示し、ｐは、ページング信号をモニタするタイミングを示している。
【００２０】
通信部１ａは、図示していない基地局のメジャーメントと、ページング信号のモニタとを周期的な区間Ｔの区間内で間欠的に行う。
例えば、図１中に示すＴは、ＤＲＸを示す。通信部１ａは、ＤＲＸのＤＲＸサイクル内で基地局のメジャーメント（ｍ）とページング信号（ｐ）のモニタとを間欠的に行う。
【００２１】
制御部１ｂは、区間Ｔ内において、メジャーメントを区間Ｔの区間長の半分より小さい間隔で行うように通信部１ａを制御する。さらに、メジャーメントによって得られた無線品質のサンプル値（具体的にはＲＳＲＰおよびＲＳＲＱの値）のフィルタリングにおいても、区間Ｔの区間長の半分より小さい間隔で行えるようにする。
【００２２】
例えば、制御部１ｂは、矢印Ａ１に示すように、区間Ｔの区間長の半分より小さい間隔でメジャーメントを行うように通信部１ａを制御する。具体的には、制御部１ｂは、ＤＲＸサイクルの半分より小さい間隔でメジャーメントを行うように、通信部１ａを制御する。
【００２３】
なお、矢印Ａ２は、従来のメジャーメントとページング信号のモニタのタイミングの一例を示している。前記したように、メジャーメントとセル選択を実施すべきか否かの判定は、少なくともＤＲＸサイクルの間隔で行うように規定されている。ここで、無線端末１の消費電力を抑制するには、矢印Ａ３に示すように、区間Ｔの区間長（ＤＲＸサイクル）を大きくする。
【００２４】
矢印Ａ３は、従来のメジャーメントとページング信号のモニタのタイミングの別の一例を示している。前記の規定に反しないように、メジャーメントをＤＲＸサイクルの半分（ＤＲＸサイクル／２）の間隔で行っている。さらに、メジャーメントの測定値算出においては、これらのメジャーメントのサンプル値を平均化し各セルの無線品質の測定結果とする。このようにメジャーメントおよび測定値の算出を実施することによって、区間Ｔの区間長（ＤＲＸサイクル）が大きくなってもメジャーメントの精度は維持することができる。しかし、従来のメジャーメントの間隔は、ＤＲＸサイクルを長くするほど間延びし、メジャーメントの平均化間隔が長くなって、メジャーメントの精度が劣化する。
【００２５】
これに対し、制御部１ｂは、上記したように、区間Ｔの区間長の半分より小さい間隔でメジャーメントを行うように通信部１ａを制御する。さらに、メジャーメントによって得られた無線品質のサンプル値（具体的にはＲＳＲＰおよびＲＳＲＱの値）のフィルタリングにおいても、区間長の半分より小さい間隔で行えるようにする。これにより、無線端末１は、消費電力を抑制するとともに、メジャーメントの平均化間隔を短くすることができ、メジャーメントの劣化を抑制することが可能になる。
【００２６】
このように、無線端末１の通信部１ａは、基地局のメジャーメントとページング信号のモニタとを周期的な区間Ｔの区間内で行う。そして、制御部１ｂは、区間Ｔ内において、メジャーメントを区間Ｔの区間長の半分より小さい間隔で行うように通信部１ａを制御するようにした。これにより、無線端末１は、消費電力を抑制するために、区間Ｔの区間長を長くしても、メジャーメントの間延びを抑制でき、メジャーメントの劣化を抑制することができる。
【００２７】
［第２の実施の形態］
次に、第２の実施の形態を、図面を参照して詳細に説明する。
図２は、第２の実施の形態に係る無線通信システムを示した図である。図２には、基地局１１および無線端末１２が示してある。基地局１１と無線端末１２は、例えば、ＬＴＥ−ＡまたはＬＴＥの通信方式によって無線通信を行う。
【００２８】
無線端末１２は、例えば、ガスメータや電気メータのデバイスに内蔵される。無線端末１２は、例えば、ガスメータや電気メータなどのデバイスが検知した異常や使用料金などの情報を基地局１１に送信する。基地局１１に送信された情報は、例えば、ガス会社や電気会社に送信される。
【００２９】
上記のようなデバイスは、携帯電話機などとは異なった通信特性を有する。例えば、デバイスは、移動せず、また、通信量が少ない。従って、デバイスは、大半がアイドルモードにあり、コネクティッドモードになることは稀であると考えられる。
【００３０】
なお、デバイスがマンション等に設置される場合、基地局１１は、例えば、ホームｅＮＢ（evolved Node B）であってもよい。また、デバイスは、上記したメータに限定されず、センサや人の健康状態を管理するヘルスメータに内蔵されてもよい。
【００３１】
図３は、無線端末の機能ブロック図である。図３に示すように、無線端末１２は、通信部２１および制御部２２を有している。制御部２２は、無線制御部２２ａ、制御プレーンレイヤ制御部２２ｂ、およびアプリケーションレイヤ制御部２２ｃを有している。
【００３２】
通信部２１は、無線通信の制御を行う。例えば、通信部２１は、基地局１１と送受信する信号の、ＢＢ（Base Band）処理およびＲＦ（Radio Frequency）処理を行う。また、通信部２１は、制御部２２の無線制御部２２ａの制御によって、電源がオン・オフされる。
【００３３】
無線制御部２２ａは、通信部２１のＢＢ処理およびＲＦ処理を制御する。また、無線制御部２２ａは、通信部２１の電源のオン・オフ制御を行う。
制御プレーンレイヤ制御部２２ｂは、ＲＲＣ（Radio Resource Control）レイヤとＮＡＳレイヤの制御を行う。
【００３４】
アプリケーションレイヤ制御部２２ｃは、アプリケーションレイヤの制御を行う。
なお、通信部２１は、例えば、図１の通信部１ａに対応する。無線制御部２２ａおよび制御プレーンレイヤ制御部２２ｂは、例えば、図１の制御部１ｂに対応する。
【００３５】
図４は、無線端末のハードウェア構成例を示した図である。図４に示すように、無線端末１２は、プロセッサ３１、メインメモリ３２、ＲＯＭ（Read Only Memory）３３、ストレージ３４、コミュニケーションインタフェース３５、入出力装置３６、ディスプレイ３７、およびバス３８を有している。
【００３６】
プロセッサ３１には、バス３８を介して、メインメモリ３２、ＲＯＭ３３、ストレージ３４、コミュニケーションインタフェース３５、入出力装置３６、およびディスプレイ３７が接続されている。無線端末１２は、プロセッサ３１によって装置全体が制御されている。プロセッサ３１は、例えば、ＣＰＵ（Central Processing Unit）またはＤＳＰ（Digital Signal Processor）である。
【００３７】
メインメモリ３２には、プロセッサ３１の各種処理で用いられるデータやプログラムが一時的に格納される。ＲＯＭ３３には、無線端末１２の動作を規定するプロトコル等の静的情報が格納されている。例えば、ＲＯＭ３３には、プロセッサ３１がデータプレーン処理、制御プレーン処理、またはスケジューリング処理等を実行するための情報が格納されている。ストレージ３４には、プロセッサ３１の各種処理で用いられるデータやプログラムが格納されている。コミュニケーションインタフェース３５は、基地局１１と無線通信を行う。例えば、コミュニケーションインタフェース３５は、ベースバンド信号を無線周波数に変換し、図示しないアンテナに出力する。また、コミュニケーションインタフェース３５は、図示しないアンテナで受信された無線信号をベースバンド信号に周波数変換する。
【００３８】
入出力装置３６は、例えば、キー、スピーカ、およびマイクである。例えば、キーは、ユーザの入力する文字や数字を受け付ける。また、スピーカは、例えば、基地局１１から受信した音声信号を音声に変換して出力する。また、マイクは、ユーザの音声を電気信号に変換する。ディスプレイ３７は、例えば、ＬＣＤ（Liquid Crystal Display）である。ディスプレイ３７は、例えば、基地局１１から受信したデータを表示する。
【００３９】
なお、図３の通信部２１の機能は、例えば、コミュニケーションインタフェース３５によって実現される。制御部２２の機能は、例えば、プロセッサ３１によって実現される。
図５は、基地局の機能ブロック図である。図５に示すように、基地局１１は、通信部４１および制御部４２を有している。制御部４２は、無線制御部４２ａおよび制御プレーンレイヤ制御部４２ｂを有している。
【００４０】
通信部４１は、無線通信の制御を行う。例えば、通信部４１は、無線端末１２と送受信する信号の、ＢＢ処理およびＲＦ処理を行う。
無線制御部４２ａは、通信部４１のＢＢ処理およびＲＦ処理を制御する。
【００４１】
制御プレーンレイヤ制御部４２ｂは、ＲＲＣレイヤとＮＡＳレイヤの制御を行う。
図６は、基地局のハードウェア構成例を示した図である。図６に示すように、基地局１１は、プロセッサ５１、メインメモリ５２、ＲＯＭ５３、ストレージ５４、コミュニケーションインタフェース５５、およびバス５６を有している。
【００４２】
プロセッサ５１には、バス５６を介して、メインメモリ５２、ＲＯＭ５３、ストレージ５４、およびコミュニケーションインタフェース５５が接続されている。基地局１１は、プロセッサ５１によって装置全体が制御されている。プロセッサ５１は、例えば、ＣＰＵまたはＤＳＰである。
【００４３】
メインメモリ５２には、プロセッサ５１の各種処理で用いられるデータやプログラムが一時的に格納される。ＲＯＭ５３には、基地局１１の動作を規定するプロトコル等の静的情報が格納されている。例えば、ＲＯＭ５３には、プロセッサ５１がデータプレーン処理、制御プレーン処理、またはスケジューリング処理等を実行するための情報が格納されている。ストレージ５４には、プロセッサ５１の各種処理で用いられるデータやプログラムが格納されている。コミュニケーションインタフェース５５は、無線端末１２と無線通信を行う。例えば、コミュニケーションインタフェース５５は、ベースバンド信号を無線周波数に変換し、図示しないアンテナに出力する。また、コミュニケーションインタフェース５５は、図示しないアンテナで受信された無線信号をベースバンド信号に周波数変換する。また、コミュニケーションインタフェース５５は、Ｓ−ＧＷ（Serving-GateWay）などの上位装置と有線通信を行う。
【００４４】
図７は、無線端末のタイミングチャートのその１である。図７に示すｍは、無線端末１２のメジャーメントのタイミングを示している。ｐは、無線端末１２のページング信号のモニタのタイミングを示している。
【００４５】
図７の例では、アプリケーションレイヤが検出するイベントの前後で、ｍ，ｐのタイミングが異なっている。イベントは、例えば、電気メータなどの料金報告や異常報告によって生じる。
【００４６】
無線端末１２は、例えば、消費電力を低減するために、通常のＤＲＸサイクルより長いロングＤＲＸサイクルを用いる。
ここで、従来のメジャーメントの測定値は、少なくとも、‘ＤＲＸサイクル／２’の間隔を有したメジャーメントのサンプルを平均化して算出する。そのため、メジャーメントの間隔は、例えば、図１の矢印Ａ３に示したように間延びし、メジャーメントの測定精度が劣化する。
【００４７】
これに対し、無線端末１２は、メジャーメントは従来のように少なくともＤＲＸの間隔で１回は実施するようにする。従って、あるＤＲＸの区間内では複数回のメジャーメントが実施できる。しかし、メジャーメントのサンプル値を‘ロングＤＲＸサイクル／ｎ’（ｎ＞２）の間隔でフィルタリングし測定値を算出する。従って、無線端末１２は、図７に示す‘Ｘ’の間隔でメジャーメントを行う。
【００４８】
なお、無線端末１２は、例えば、２つのメジャーメントを平均化し、メジャーメントの測定値を算出する。例えば、無線端末１２は、図７に示すイベント発生前のロングＤＲＸサイクルにおいて、左側のｍと右側のｍの２つでメジャーメントのサンプル値を用いて測定値を算出する。また、無線端末１２は、イベント発生後のロングＤＲＸサイクルにおいては、左から１番目のｍと２番目のｍとでメジャーメントのサンプル値を用いて測定値を算出する。また、無線端末１２は、左から３番目のｍと４番目のｍとでメジャーメントのサンプル値を用いて測定値を算出する。
【００４９】
また、イベント発生後では、イベント発生前より、ロングＤＲＸサイクル内でのメジャーメントの回数が増加している。例えば、図７では、イベント発生前では、メジャーメントの回数は２回であるが、イベント発生後は、４回となっている。これは、メジャーメントの回数を増加して、メジャーメントの評価の精度を高めることによって適切なセルにキャンプオンし、イベント情報を適切に基地局に通知できるようにするためである。なお、無線端末１２は、イベント発生後のメジャーメントによって、前回のセルに接続できないと判断した場合、セルセレクションを実施し、新しいセルの検出を試みる。また、無線端末１２は、イベントに対するＵＬデータを送信すると、イベント発生前の動作に戻る。
【００５０】
図８は、無線端末のタイミングチャートのその２である。図８のタイミングチャートは、図７のタイミングチャートに対し、イベント発生後のメジャーメントの間隔が短く、間隔Ｙとなっている。すなわち、図８は、図７よりメジャーメントの頻度が多くなっている。これにより、無線端末１２の消費電力は、図７より上昇するが、メジャーメントの測定値算出において、各サンプルを平均化する間隔が短くなるため、測定精度は向上する。
【００５１】
ただし、メジャーメントの測定値算出において、平均化間隔は短ければ短いほどよい、というわけではない。平均化間隔があまりにも短い場合、無線伝搬状況がよい瞬間だけを評価する可能性や、逆に無線伝搬状況が悪い瞬間だけを評価してしまう可能性もある。そのため、各サンプルの間隔は一定間隔以上空ける必要がある。例えば図７においては、メジャーメントのフィルタリングの間隔は‘Ｘ／２’のようにし、図８においては、メジャーメントのフィルタリングの間隔は‘Ｙ／２’のようにする。
【００５２】
なお、無線端末１２は、イベント発生後、従来のメジャーメント間隔に戻してもよい。例えば、無線端末１２は、イベント発生後、‘ＤＲＸサイクル／２’の間隔でメジャーメントを行うようにしてもよい。
【００５３】
メジャーメントの間隔を決めるｎの取得について説明する。ｎは、例えば、報知情報によって、基地局１１から通知される。
具体的には、無線端末１２は、電源投入後、初期セルサーチを実施し、無線品質のよいセル（suitable cell）にキャンプオンする。その際、無線端末１２は、ＮＡＳアタッチプロシージャ（NAS attach procedure）を実施する。無線端末１２は、セルにキャンプオンする際に、そのセルの報知情報を基地局１１から取得し、取得した報知情報からｎを取得する。これにより、無線端末１２は、メジャーメントの間隔を算出することができる。
【００５４】
なお、図８に示したように、イベント発生前後でメジャーメントの間隔を変える場合、イベントが発生したことを無線端末１２が基地局１１に通知し、基地局１１が新しいｎを無線端末１２に通知するようにしてもよい。基地局１１は、例えば、イベントの種別（例えば、緊急イベントか否か）に応じてｎを変えることもできる。
【００５５】
また、ｎは、予め決めておいてもよいし、デバイスＩＤから算出するようにしてもよい。例えば、デバイスＩＤは、１２ビットの値で示される。無線端末１２は、自分のデバイスＩＤを、例えば、４０００などの適当な値で除算し、その余りをｎとしてもよい。
【００５６】
また、基地局１１は、ロングＤＲＸサイクル内におけるメジャーメントの回数も報知情報で無線端末１２に通知することができる。また、基地局１１は、無線端末１２からイベント通知を受信した際に、ロングＤＲＸサイクル内におけるメジャーメントの回数を通知することができる。
【００５７】
図９は、無線端末のフローチャートである。
［ステップＳ１］無線端末１２は、電源が投入されたとする。
［ステップＳ２］制御プレーンレイヤ制御部２２ｂは、基地局１１から報知情報を受信する。すなわち、制御プレーンレイヤ制御部２２ｂは、メジャーメントの間隔を算出するための‘ｎ’を受信する。
【００５８】
［ステップＳ３］制御プレーンレイヤ制御部２２ｂは、ＮＡＳアタッチプロシージャを実施する。
［ステップＳ４］制御プレーンレイヤ制御部２２ｂは、受信した‘ｎ’からメジャーメントの間隔を算出する。無線制御部２２ａは、制御プレーンレイヤ制御部２２ｂによって算出された間隔でメジャーメントを行うように、通信部２１をオン・オフする。制御プレーンレイヤ制御部２２ｂは、測定したメジャーメントの平均化を行い、その品質を評価する。
【００５９】
なお、制御プレーンレイヤ制御部２２ｂは、例えば、次の式を満たすタイミングで、ページングのモニタを行う。
SFN mod T = (T div N) * (UE-ID mod N)
ＳＦＮは、システムフレームナンバである。Ｔは、ＤＲＸサイクル（ロングＤＲＸサイクル）である。ＵＥ−ＩＤは、無線端末のＩＤである。Ｎは、ＤＲＸサイクルで決まる値である。
【００６０】
［ステップＳ５］アプリケーションレイヤ制御部２２ｃは、イベント待機する。
［ステップＳ６］アプリケーションレイヤ制御部２２ｃは、イベントが発生したか否か判断する。アプリケーションレイヤ制御部２２ｃは、イベントが発生した場合、ステップＳ７へ進む。アプリケーションレイヤ制御部２２ｃは、イベントが発生していない場合、ステップＳ５へ進む。
【００６１】
［ステップＳ７］制御プレーンレイヤ制御部２２ｂと無線制御部２２ａは、新たな設定で、メジャーメントを行い、その品質の評価を行う。例えば、制御プレーンレイヤ制御部２２ｂは、図８で説明したように、新たな設定でメジャーメントを行う。なお、制御プレーンレイヤ制御部２２ｂは、図７に示したように、メジャーメントを行ってもよい。
【００６２】
図１０は、基地局のフローチャートである。
［ステップＳ１１］制御プレーンレイヤ制御部４２ｂは、無線制御部４２ａを介して、無線端末１２に報知情報を通知する。報知情報には、メジャーメントの間隔を算出するための‘ｎ’が含まれている。
【００６３】
［ステップＳ１２］制御プレーンレイヤ制御部４２ｂは、ＮＡＳアタッチプロシージャを実施する。
［ステップＳ１３］制御プレーンレイヤ制御部４２ｂは、無線端末１２からのイベント報告の待機を行う。
【００６４】
［ステップＳ１４］制御プレーンレイヤ制御部４２ｂは、無線端末１２からのイベント報告を受信したか否か判断する。制御プレーンレイヤ制御部４２ｂは、無線端末１２からのイベント報告を受信した場合、ステップＳ１５へ進む。制御プレーンレイヤ制御部４２ｂは、無線端末１２からのイベント報告を受信していない場合、ステップＳ１３へ進む。
【００６５】
［ステップＳ１５］制御プレーンレイヤ制御部４２ｂは、新たな‘ｎ’を無線端末１２に通知する。
このように、制御プレーンレイヤ制御部２２ｂおよび無線制御部２２ａは、ロングＤＲＸサイクル内において、メジャーメントのフィルタリングをロングＤＲＸサイクルのサイクル長の半分より小さい間隔で行うように通信部２１を制御するようにした。これにより、無線端末１２は、消費電力を抑制するために、ロングＤＲＸサイクルにしても、メジャーメントの間延びを抑制でき、メジャーメントの精度の劣化を抑制することができる。
【００６６】
また、制御プレーンレイヤ制御部２２ｂおよび無線制御部２２ａは、イベントが発生した後、イベントの前より、ロングＤＲＸサイクル内でのメジャーメントの回数を増やすようにした。これにより、無線端末１２は、メジャーメントの品質を向上することができる。
【００６７】
また、制御プレーンレイヤ制御部２２ｂおよび無線制御部２２ａは、イベントが発生した後、イベントの前よりメジャーメントの間隔を小さくするようにした。これにより、無線端末１２は、メジャーメントの品質を向上することができる。
【００６８】
［第３の実施の形態］
次に、第３の実施の形態を、図面を参照して詳細に説明する。第３の実施の形態では、従来のＤＲＸに対し、マスキングを行って、ＤＲＸを実施しない区間を設け、周期的にＤＲＸを行う。ＤＲＸを実施する区間においては従来のＤＲＸを実施してもよいが、メジャーメントの品質を向上させるため、ＤＲＸサイクル内において、複数回のメジャーメントを実施し、メジャーメントのフィルタリングをＤＲＸサイクルのサイクル長の半分より小さい間隔で行うようにしてもよい。
【００６９】
なお、第３の実施の形態に係る無線通信システムは、図２と同様である。無線端末１２のブロックは、図３と同様であるが、制御プレーンレイヤ制御部２２ｂの機能が異なる。無線端末１２のハードウェア構成は、図４と同様である。基地局１１のブロックは、図５と同様であるが、制御プレーンレイヤ制御部４２ｂの機能が異なる。基地局１１のハードウェア構成は、図６と同様である。
【００７０】
図１１は、第３の実施の形態に係る無線端末のタイミングチャートである。図１１では、図７に対し、ロングＤＲＸサイクルがＤＲＸサイクルとなっている。図１１のその他の部分は、図７と同様であるので、その説明を省略する。
【００７１】
無線端末１２は、イベント発生前においては、メジャーメントを行わないＤＲＸサイクルにおいてマスクをかけ、周期的にＤＲＸが実施されるようにする（図１１中の太線）。無線端末１２は、マスクがかかっていないＤＲＸサイクル内において、メジャーメントとページング信号のモニタとを行う。
【００７２】
無線端末１２は、マスクがかかっていない区間では、図１１に示すように、メジャーメントを‘ＤＲＸサイクル／ｎ’（ｎ＞２）の間隔で行う。従って、無線端末１２は、図１１に示す‘Ｘ’の間隔でメジャーメントのフィルタリングを行う。
【００７３】
無線端末１２は、イベント発生後においては、ＤＲＸサイクルにマスクをかけない。すなわち、無線端末１２は、図１１に示すように、各ＤＲＸサイクルにおいて、メジャーメントとページング信号のモニタとを行う。
【００７４】
図１２は、ＤＲＸのマスクパターンを説明する図である。無線端末１２の制御プレーンレイヤ制御部２２ｂは、報知情報の変更確認を実施する周期であるBCCH（Broadcasting Control Channel） modification periodに同期して、ＤＲＸのマスクを解除する。
【００７５】
図１２に示す両矢印Ａ１１，Ａ１２は、BCCH modification periodを示している。制御プレーンレイヤ制御部２２ｂは、図１２に示す点線Ａ１３，Ａ１４のタイミングで、ＤＲＸのマスクを解除する。例えば、制御プレーンレイヤ制御部２２ｂは、点線Ａ１３，Ａ１４のタイミングで、通信部２１をオンするように（ＤＲＸを実施するように）無線制御部２２ａを制御する。
【００７６】
なお、図１２に示す一点鎖線は、ＤＲＸサイクルのマスクが解除される期間（ＤＲＸが実施される期間）を示している。また、図１２中に示す四角および斜線が付してある四角は、基地局１１から無線端末１２に通知される報知情報（ＳＩＢ：System Information Block）を示している。
【００７７】
制御プレーンレイヤ制御部２２ｂは、報知情報に変更があるか否かを確認するため、ＳＩＢ１（図１２中の右斜め上斜線の四角）またはページング信号をモニタする。制御プレーンレイヤ制御部２２ｂは、これらをモニタするため、通信部２１をオンする。制御プレーンレイヤ制御部２２ｂは、このタイミングを利用して、メジャーメントとページング信号のモニタを行う。なお、左斜め上斜線の四角は、情報が変更されたＳＩＢを示している。
【００７８】
マスクを解除する期間は、例えば、報知情報で通知してもよいし、予め決めていてもよい。また、無線端末１２のデバイスＩＤから算出するようにしてもよい。また、無線端末１２のインプリで自由に実施するようにしてもよい。
【００７９】
上記では、マスクパターンは、BCCH modification periodに同期するとしたが、別のマスクパターン設定例について説明する。
例１：基地局１１がマスキングパターンを報知情報で報知する。例えば、基地局１１は、どのＤＲＸサイクルでＤＲＸを行うかを報知情報で報知する。無線端末１２の制御プレーンレイヤ制御部２２ｂは、受信した報知情報に含まれるＤＲＸサイクルで、マスクを解除し、メジャーメントとページング信号のモニタとを行うようにする。マスク解除の期間は、例えば、報知情報で報知してもよいし、予め決めておいてもよい。また、無線端末１２のデバイスＩＤから算出するようにしてもよい。
【００８０】
例２：ページング信号でマスキングパターンを通知する。例えば、基地局１１は、無線端末１２がキャンプオンすると、ページング信号でＤＲＸのマスキングパターンを通知する。
【００８１】
例３：無線端末１２は、キャンプオンする際、ＭＭＥ（Mobility Management Entity）に位置登録がされる。位置登録は、ＮＡＳレイヤで行われ、ＮＡＳアタッチプロシージャが実施される。無線端末１２は、ＮＡＳアタッチプロシージャで送受信されるＮＡＳメッセージのＮＡＳアタッチアクセプト（NAS attach accept）でマスキングパターンを受信する。
【００８２】
例４：ＤＲＸをＮ回マスキングするたびに、ＤＲＸのマスキングを解除する。Ｎは、基地局１１から報知情報で通知してもよいし、基地局１１と無線端末１２で予め決めておいてもよい。また、無線端末１２のデバイスＩＤから算出するようにしてもよい。
【００８３】
例５：無線端末の識別子であるＩＭＳＩ（International Mobile Subscriber Identity）に基づいて、ＤＲＸのマスクを解除する無線フレームを決める。例えば、SFN mod DRX cycleと、func(IMSI)とが等しくなる無線フレームで、ＤＲＸのマスクを解除する。func()は、適当な関数であり、例えば、IMSIによって、何らかの値を出力する関数である。
【００８４】
図１３は、無線端末のフローチャートである。
［ステップＳ２１］無線端末１２は、電源が投入されたとする。
［ステップＳ２２］制御プレーンレイヤ制御部２２ｂは、基地局１１からの報知情報を受信する。
【００８５】
［ステップＳ２３］制御プレーンレイヤ制御部２２ｂは、ＮＡＳアタッチプロシージャを実施する。
［ステップＳ２４］制御プレーンレイヤ制御部２２ｂは、ＮＡＳアタッチプロシージャの実施により、ＤＲＸのマスクパターンを受信する。なお、図１３のフローチャートは、上記の例３の場合の処理例を示している。
【００８６】
［ステップＳ２５］制御プレーンレイヤ制御部２２ｂは、受信したマスクパターンでＤＲＸを実施するように、無線制御部２２ａを制御する。無線制御部２２ａは、制御プレーンレイヤ制御部２２ｂの制御に応じて、通信部２１をオン・オフし、メジャーメントとページング信号のモニタとが行われるようにする。制御プレーンレイヤ制御部２２ｂは、測定したメジャーメントの平均化を行い、その品質を評価する。
【００８７】
［ステップＳ２６］アプリケーションレイヤ制御部２２ｃは、イベント待機する。
［ステップＳ２７］アプリケーションレイヤ制御部２２ｃは、イベントが発生したか否か判断する。アプリケーションレイヤ制御部２２ｃは、イベントが発生した場合、ステップＳ２８へ進む。アプリケーションレイヤ制御部２２ｃは、イベントが発生していない場合、ステップＳ２６へ進む。
【００８８】
［ステップＳ２８］制御プレーンレイヤ制御部２２ｂは、全マスクを解除する。例えば、制御プレーンレイヤ制御部２２ｂは、図１１のイベント発生後に示すように、各ＤＲＸサイクルでメジャーメントとページング信号のモニタとが実施されるように、無線制御部２２ａを制御する。
【００８９】
図１４は、基地局のフローチャートである。
［ステップＳ３１］制御プレーンレイヤ制御部４２ｂは、無線制御部４２ａを介して、無線端末１２に報知情報を通知する。
【００９０】
［ステップＳ３２］制御プレーンレイヤ制御部４２ｂは、ＮＡＳアタッチプロシージャを実施する。
［ステップＳ３３］制御プレーンレイヤ制御部４２ｂは、ＮＡＳアタッチプロシージャにより、ＤＲＸのマスクパターンを送信する。なお、図１４のフローチャートは、上記の例３の場合の処理例を示している。
【００９１】
［ステップＳ３４］制御プレーンレイヤ制御部４２ｂは、無線端末１２からのイベント報告の待機を行う。
［ステップＳ３５］制御プレーンレイヤ制御部４２ｂは、無線端末１２からのイベント報告を受信したか否か判断する。制御プレーンレイヤ制御部４２ｂは、無線端末１２からのイベント報告を受信した場合、処理を終了する。制御プレーンレイヤ制御部４２ｂは、無線端末１２からのイベント報告を受信していない場合、ステップＳ３４へ進む。
【００９２】
このように、制御プレーンレイヤ制御部４２ｂは、ＤＲＸを実施しない区間を設け、周期的にＤＲＸを行うようにする。そして、制御プレーンレイヤ制御部４２ｂおよび無線制御部４２ａは、周期的に行われるＤＲＸのＤＲＸサイクル内において、メジャーメントのフィルタリングをＤＲＸサイクルのサイクル長の半分より小さい間隔で行うようにした。これにより、無線端末１２は、消費電力を抑制するために、周期的に行うＤＲＸのＤＲＸサイクル内において、メジャーメントの間延びを抑制でき、メジャーメントの劣化を抑制することができる。
【００９３】
［第４の実施の形態］
次に、第４の実施の形態を、図面を参照して詳細に説明する。第４の実施の形態では、基地局が次に実施するＤＲＸを指示する。
【００９４】
なお、第４の実施の形態に係る無線通信システムは、図２と同様である。無線端末１２のブロックは、図３と同様であるが、制御プレーンレイヤ制御部２２ｂの機能が異なる。無線端末１２のハードウェア構成は、図４と同様である。基地局１１のブロックは、図５と同様であるが、制御プレーンレイヤ制御部４２ｂの機能が異なる。基地局１１のハードウェア構成は、図６と同様である。
【００９５】
図１５は、第４の実施の形態に係る無線端末のタイミングチャートである。図１５は、図１１に対し、次に実施するＤＲＸをページング信号で指示している。図１５のその他の部分は、図１１と同様であるので、その説明を省略する。
【００９６】
無線端末１２の制御プレーンレイヤ制御部２２ｂは、基地局１１のセルにキャンプオンすると、メジャーメントとページング信号のモニタとを行う。基地局１１は、無線端末１２が次にどのＤＲＸでメジャーメントとページング信号のモニタとを実施すればよいかを、ページング信号で指定する。制御プレーンレイヤ制御部２２ｂは、指定されたＤＲＸで、メジャーメントとページング信号のモニタとを実施する。
【００９７】
ＤＲＸを実施する期間は、前記のページング信号で指定してもよいし、報知情報で通知してもよい。また、予め決めておいてもよいし、無線端末１２のデバイスＩＤから算出するようにしてもよい。さらには、無線端末のインプリで決めるようにしてもよい。例えば、基地局１１は、報知情報でＤＲＸの開始を指定し、ＤＲＸの期間は、無線端末１２のインプリにする。
【００９８】
なお、基地局１１は、ＮＡＳによってＤＲＸの実施を指定するようにしてもよい。例えば、無線端末１２は、キャンプオンする際、ＭＭＥに位置登録がされる。位置登録は、ＮＡＳレイヤで行われ、ＮＡＳアタッチプロシージャが実施される。基地局１１は、ＮＡＳアタッチプロシージャで送受信されるＮＡＳメッセージのＮＡＳアタッチアクセプトで次に実施するＤＲＸを指定する。ＤＲＸを実施する期間は、前記のＮＡＳアタッチアクセプトで通知してもよいし、報知情報で通知してもよい。また、予め決めておいてもよいし、無線端末１２のデバイスＩＤで決めてもよい。
【００９９】
図１６は、無線端末のフローチャートである。
［ステップＳ４１］無線端末１２は、電源が投入されたとする。
［ステップＳ４２］制御プレーンレイヤ制御部２２ｂは、基地局１１からの報知情報を受信する。
【０１００】
［ステップＳ４３］制御プレーンレイヤ制御部２２ｂは、ＮＡＳアタッチプロシージャを実施する。
［ステップＳ４４］制御プレーンレイヤ制御部２２ｂは、ページング信号またはＮＡＳアタッチプロシージャの実施により、次に実施するＤＲＸを受信する。
【０１０１】
［ステップＳ４５］制御プレーンレイヤ制御部２２ｂは、基地局１１（ステップＳ４４）で指定されたＤＲＸを実施するように、無線制御部２２ａを制御する。制御プレーンレイヤ制御部２２ｂは、ＤＲＸにより、メジャーメントを行い、その評価を行う。
【０１０２】
［ステップＳ４６］アプリケーションレイヤ制御部２２ｃは、イベント待機する。
［ステップＳ４７］アプリケーションレイヤ制御部２２ｃは、イベントが発生したか否か判断する。アプリケーションレイヤ制御部２２ｃは、イベントが発生した場合、ステップＳ４８へ進む。アプリケーションレイヤ制御部２２ｃは、イベントが発生していない場合、ステップＳ４６へ進む。
【０１０３】
［ステップＳ４８］制御プレーンレイヤ制御部２２ｂは、全ＤＲＸを実施する。例えば、制御プレーンレイヤ制御部２２ｂは、図１５のイベント発生後に示すように、各ＤＲＸサイクルでメジャーメントとページング信号のモニタとが実施されるように、無線制御部２２ａを制御する。
【０１０４】
図１７は、基地局のフローチャートである。
［ステップＳ５１］制御プレーンレイヤ制御部４２ｂは、無線制御部４２ａを介して、無線端末１２に報知情報を通知する。
【０１０５】
［ステップＳ５２］制御プレーンレイヤ制御部４２ｂは、ＮＡＳアタッチプロシージャを実施する。
［ステップＳ５３］制御プレーンレイヤ制御部４２ｂは、ページング信号またはＮＡＳアタッチプロシージャの実施により、次に実施するＤＲＸを送信する。
【０１０６】
［ステップＳ５４］制御プレーンレイヤ制御部４２ｂは、無線端末１２からのイベント報告の待機を行う。
［ステップＳ５５］制御プレーンレイヤ制御部４２ｂは、無線端末１２からのイベント報告を受信したか否か判断する。制御プレーンレイヤ制御部４２ｂは、無線端末１２からのイベント報告を受信した場合、処理を終了する。制御プレーンレイヤ制御部４２ｂは、無線端末１２からのイベント報告を受信していない場合、ステップＳ５４へ進む。
【０１０７】
このように、制御プレーンレイヤ制御部４２ｂは、次に実施するＤＲＸを、ページング信号またはＮＡＳによって受信する。そして、制御プレーンレイヤ制御部４２ｂおよび無線制御部４２ａは、次に実施するＤＲＸのＤＲＸサイクル内において、メジャーメントのフィルタリングをＤＲＸサイクルのサイクル長の半分より小さい間隔で行うようにした。これにより、無線端末１２は、消費電力を抑制するとともに、メジャーメントの劣化を抑制することができる。
【０１０８】
［第５の実施の形態］
次に、第５の実施の形態を、図面を参照して詳細に説明する。第５の実施の形態では、ＤＲＸサイクルを２つ設定して、メジャーメントとページング信号のモニタとを行う。
【０１０９】
なお、第５の実施の形態に係る無線通信システムは、図２と同様である。無線端末１２のブロックは、図３と同様であるが、制御プレーンレイヤ制御部２２ｂの機能が異なる。無線端末１２のハードウェア構成は、図４と同様である。基地局１１のブロックは、図５と同様であるが、制御プレーンレイヤ制御部４２ｂの機能が異なる。基地局１１のハードウェア構成は、図６と同様である。
【０１１０】
図１８は、第５の実施の形態に係る無線端末のタイミングチャートである。図１８には、ショートＤＲＸサイクルと、ショートＤＲＸサイクルより期間が長いロングＤＲＸサイクルが示してある。ショートＤＲＸサイクルは、例えば、従来のＤＲＸサイクルであり、ロングＤＲＸサイクルは、無線端末１２の消費電力を抑制するために、ショートＤＲＸサイクルよりサイクルが長くなっている。
【０１１１】
無線端末１２は、例えば、ショートＤＲＸサイクルのＤＲＸを所定期間実施し、その後、ロングＤＲＸサイクルのＤＲＸを所定期間実施する。そして、無線端末１２は、これらの動作を繰り返す。ショートＤＲＸサイクルのＤＲＸおよびロングＤＲＸサイクルのＤＲＸを実施する期間は、例えば、報知情報によって通知される。
【０１１２】
ＤＲＸサイクルを単に長くすると、メジャーメントを実施する間隔も間延びするので、無線端末１２の制御プレーンレイヤ制御部２２ｂは、ロングＤＲＸサイクルにおいては、メジャーメントは従来のように少なくともＤＲＸの間隔で１回は実施するようにする。従って、あるＤＲＸの区間内では複数回のメジャーメントが実施できる。しかし、‘ロングＤＲＸサイクル／ｎ’（ｎ＞２）の間隔でメジャーメントを行う。従って、無線端末１２は、図１８に示すように少なくとも‘Ｘ’の間隔は空けてメジャーメントのフィルタリングを行うように制御する。また、制御プレーンレイヤ制御部２２ｂは、ショートＤＲＸサイクルにおいては、従来のようにメジャーメントを実施してもよいが、計測精度を上げるために、少なくとも‘ショートＤＲＸサイクル／２’の間隔は空けてメジャーメントのフィルタリングを行うようにする。
【０１１３】
なお、無線端末１２は、例えば、２つのメジャーメントを平均化し、メジャーメントの測定値を算出する。例えば、無線端末１２は、図１８に示すロングＤＲＸサイクルにおいて、左側のｍと右側のｍの２つのサンプル値のフィルタリングを行う。
【０１１４】
また、変形例としては、ＤＲＸサイクルを単に長くすると、メジャーメントを実施する間隔が間延びすることは明らかなので、ロングＤＲＸサイクルでは、メジャーメントもページングのモニタも全く実施しない、という方法もある。
【０１１５】
上記では、ショートＤＲＸサイクルのＤＲＸおよびロングＤＲＸサイクルのＤＲＸを実施する期間は、報知情報によって通知するとしたが、別の例について説明する。
例１：基地局１１は、無線端末１２がキャンプオンすると、ページング信号でＤＲＸを実施する期間を通知する。
【０１１６】
例２：無線端末１２は、キャンプオンする際、ＭＭＥに位置登録がされる。位置登録は、ＮＡＳレイヤで行われ、ＮＡＳアタッチプロシージャが実施される。無線端末１２は、ＮＡＳアタッチプロシージャで送受信されるＮＡＳメッセージのＮＡＳアタッチアクセプト（NAS attach accept）でＤＲＸを実施する期間を受信する。
【０１１７】
例３：制御プレーンレイヤ制御部２２ｂは、ショートＤＲＸサイクルのＤＲＸをＮ回実施した後、ロングＤＲＸサイクルのＤＲＸをＭ回実施する。Ｎ，Ｍの値は、報知情報で通知してもよいし、予め決められた値を使用してもよい。また、制御プレーンレイヤ制御部２２ｂは、無線端末１２のデバイスＩＤからＮ，Ｍの値を算出するようにしてもよい。
【０１１８】
例４：制御プレーンレイヤ制御部２２ｂは、図１２で説明したBCCH modification periodに連動して、ＤＲＸサイクルを切替えるようにする。例えば、制御プレーンレイヤ制御部２２ｂは、Ｎ回のmodification boundary（図１２の点線Ａ１３，Ａ１４）ごとに、ショートＤＲＸサイクルのＤＲＸを実施する。ショートＤＲＸサイクルのＤＲＸを実施する期間は、例えば、報知情報で通知してもよいし、予め決められた値を使用してもよい。また、制御プレーンレイヤ制御部２２ｂは、無線端末１２のデバイスＩＤから、ショートＤＲＸサイクルのＤＲＸを実施する期間を算出するようにしてもよい。
【０１１９】
例５：制御プレーンレイヤ制御部２２ｂは、SFN mod DRX cycleと、func(IMSI)とが等しくなる無線フレームで、ショートＤＲＸサイクルのＤＲＸを開始する。制御プレーンレイヤ制御部２２ｂは、連続したＮ個の無線フレームにおいて、ショートＤＲＸサイクルのＤＲＸを実施する。Ｎは、例えば、報知情報で通知してもよいし、予め決められた値を使用してもよい。また、制御プレーンレイヤ制御部２２ｂは、無線端末１２のデバイスＩＤから、Ｎを算出するようにしてもよい。制御プレーンレイヤ制御部２２ｂは、ショートＤＲＸサイクルのＤＲＸが終了すると、ロングＤＲＸサイクルのＤＲＸを実施する。
【０１２０】
図１９は、無線端末のフローチャートである。
［ステップＳ６１］無線端末１２は、電源が投入されたとする。
［ステップＳ６２］制御プレーンレイヤ制御部２２ｂは、基地局１１からの報知情報を受信する。
【０１２１】
［ステップＳ６３］制御プレーンレイヤ制御部２２ｂは、ＮＡＳアタッチプロシージャを実施する。
［ステップＳ６４］制御プレーンレイヤ制御部２２ｂは、例えば、ＮＡＳアタッチアクセプトによって、ショートＤＲＸサイクルのＤＲＸおよびロングＤＲＸサイクルのＤＲＸを実施する期間を取得する。なお、制御プレーンレイヤ制御部２２ｂは、報知情報からショートＤＲＸサイクルのＤＲＸおよびロングＤＲＸサイクルのＤＲＸを実施する期間を取得するようにしてもよい。
【０１２２】
［ステップＳ６５］制御プレーンレイヤ制御部２２ｂは、基地局１１（ステップＳ６４）で指定されたショートＤＲＸサイクルおよびロングＤＲＸサイクルでＤＲＸを実施するように、無線制御部２２ａを制御する。制御プレーンレイヤ制御部２２ｂは、ＤＲＸにより、メジャーメントを行い、その評価を行う。
【０１２３】
図２０は、基地局のフローチャートである。
［ステップＳ７１］制御プレーンレイヤ制御部４２ｂは、無線制御部４２ａを介して、無線端末１２に報知情報を通知する。
【０１２４】
［ステップＳ７２］制御プレーンレイヤ制御部４２ｂは、ＮＡＳアタッチプロシージャを実施する。
［ステップＳ７３］制御プレーンレイヤ制御部４２ｂは、例えば、報知情報またはＮＡＳアタッチプロシージャの実施により、ショートＤＲＸサイクルのＤＲＸおよびロングＤＲＸサイクルのＤＲＸを実施する期間を送信する。
【０１２５】
このように、制御プレーンレイヤ制御部４２ｂは、ショートＤＲＸサイクルおよびロングＤＲＸサイクルでＤＲＸを実施するようにした。これにより、無線端末１２は、ロングＤＲＸサイクルによって消費電力を抑制するとともに、ショートＤＲＸサイクルによって、メジャーメントの精度を向上することができる。
【０１２６】
［第６の実施の形態］
次に、第６の実施の形態を、図面を参照して詳細に説明する。第６の実施の形態では、無線端末１２の電源投入後、ＮＡＳアタッチプロシージャおよびＮＡＳデタッチプロシージャを行う。その後、無線端末１２は、通信部２１の電源をオフする。無線端末１２は、その後、アプリケーションレイヤでイベントが検出されると、ＤＲＸによって、メジャーメントとページング信号のモニタとを行い、例えば、イベントの情報をＵＬで基地局１１に送信する。
【０１２７】
なお、第６の実施の形態に係る無線通信システムは、図２と同様である。無線端末１２のブロックは、図３と同様であるが、制御プレーンレイヤ制御部２２ｂの機能が異なる。無線端末１２のハードウェア構成は、図４と同様である。基地局１１のブロックは、図５と同様であるが、制御プレーンレイヤ制御部４２ｂの機能が異なる。基地局１１のハードウェア構成は、図６と同様である。
【０１２８】
図２１は、第６の実施の形態に係る無線端末のタイミングチャートである。図２１の矢印Ａ２１は、ＮＡＳアタッチプロシージャの実施を示し、矢印Ａ２２は、ＮＡＳデタッチプロシージャの実施を示している。無線端末１２は、電源が投入されると、セルサーチを行い、矢印Ａ２１に示すように、ＮＡＳアタッチプロシージャを実施して位置登録を行う。そして、無線端末１２は、矢印Ａ２２に示すように、ＮＡＳデタッチプロシージャを実施し、通信部２１の電源をオフする。
【０１２９】
無線端末１２のアプリケーションレイヤ制御部２２ｃは、アプリケーションレイヤで発生したイベントを検出すると、制御プレーンレイヤ制御部２２ｂにその旨を通知する。制御プレーンレイヤ制御部２２ｂは、通信部２１をオンするように、無線制御部２２ａを制御する。
【０１３０】
制御プレーンレイヤ制御部２２ｂは、矢印Ａ２３に示すように、ＮＡＳアタッチプロシージャを実施して位置登録を行う。制御プレーンレイヤ制御部２２ｂは、ショートＤＲＸサイクルでＤＲＸを実施し、メジャーメントとページング信号のモニタとを行う。
【０１３１】
制御プレーンレイヤ制御部２２ｂは、イベント情報をＵＬデータとして基地局１１に送信し、矢印Ａ２４に示すように、ＮＡＳデタッチプロシージャを実施する。そして、制御プレーンレイヤ制御部２２ｂは、通信部２１の電源をオフする。
【０１３２】
なお、制御プレーンレイヤ制御部２２ｂは、その後、アプリケーションレイヤ制御部２２ｃによってイベントが検出されると、上記と同様の動作を行う。
図２２は、ＮＡＳアタッチプロシージャおよびＮＡＳデタッチプロシージャの動作を説明する図である。
【０１３３】
［ステップＳ８１］無線端末１２の制御プレーンレイヤ制御部２２ｂは、基地局１１に対し、ＮＡＳアタッチリクエストを送信する。
［ステップＳ８２］基地局１１の制御プレーンレイヤ制御部４２ｂは、ＮＡＳアタッチアクセプトを無線端末１２に送信する。
【０１３４】
［ステップＳ８３］無線端末１２の制御プレーンレイヤ制御部２２ｂは、ＮＡＳアタッチコンプリートを基地局１１に送信する。
［ステップＳ８４］無線端末１２の制御プレーンレイヤ制御部２２ｂは、基地局１１に対し、ＮＡＳデタッチリクエストを送信する。
【０１３５】
［ステップＳ８５］基地局１１の制御プレーンレイヤ制御部４２ｂは、ＮＡＳデタッチアクセプトを無線端末１２に送信する。
図２３は、無線端末のフローチャートである。
【０１３６】
［ステップＳ９１］無線端末１２は、電源が投入されたとする。
［ステップＳ９２］制御プレーンレイヤ制御部２２ｂは、ＮＡＳアタッチプロシージャおよびＮＡＳデタッチプロシージャを行う。例えば、図２１に示す矢印Ａ２１，Ａ２２を実施する。
【０１３７】
［ステップＳ９３］アプリケーションレイヤ制御部２２ｃは、イベント待機する。
［ステップＳ９４］アプリケーションレイヤ制御部２２ｃは、イベントが発生したか否か判断する。アプリケーションレイヤ制御部２２ｃは、イベントが発生した場合、ステップＳ９５へ進む。アプリケーションレイヤ制御部２２ｃは、イベントが発生していない場合、ステップＳ９３へ進む。
【０１３８】
［ステップＳ９５］無線制御部２２ａは、制御プレーンレイヤ制御部２２ｂの制御に応じて、通信部２１をオンする。
［ステップＳ９６］制御プレーンレイヤ制御部２２ｂは、ＤＲＸを動作させる。
【０１３９】
［ステップＳ９７］制御プレーンレイヤ制御部２２ｂは、ＮＡＳアタッチプロシージャを実施する。
［ステップＳ９８］通信部２１は、ＵＬにおいて、イベント情報を基地局１１に送信する。
【０１４０】
［ステップＳ９９］制御プレーンレイヤ制御部２２ｂは、ＮＡＳデタッチプロシージャを実施する。
図２４は、基地局のフローチャートである。
【０１４１】
［ステップＳ１０１］制御プレーンレイヤ制御部４２ｂは、ＮＡＳアタッチプロシージャを実施する。
［ステップＳ１０２］制御プレーンレイヤ制御部４２ｂは、無線制御部４２ａおよび通信部４１を介して、無線端末１２と通信を行う。
【０１４２】
［ステップＳ１０３］制御プレーンレイヤ制御部４２ｂは、ＮＡＳデタッチプロシージャを実施する。なお、上記処理は、イベント前およびイベント後において同じである。
このように、制御プレーンレイヤ制御部４２ｂは、アプリケーションレイヤ制御部２２ｃのイベント検出に連動して、ＤＲＸを行うように無線制御部２２ａを制御するようにした。これにより、無線端末１２は、イベント発生前の消費電力を抑制することができる。
【０１４３】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【０１４４】
１  無線端末
１ａ  通信部
１ｂ  制御部
【図１】
0005896053.tif 000002
【図２】
0005896053.tif 000003
【図３】
0005896053.tif 000004
【図４】
0005896053.tif 000005
【図５】
0005896053.tif 000006
【図６】
0005896053.tif 000007
【図７】
0005896053.tif 000008
【図８】
0005896053.tif 000009
【図９】
0005896053.tif 000010
【図１０】
0005896053.tif 000011
【図１１】
0005896053.tif 000012
【図１２】
0005896053.tif 000013
【図１３】
0005896053.tif 000014
【図１４】
0005896053.tif 000015
【図１５】
0005896053.tif 000016
【図１６】
0005896053.tif 000017
【図１７】
0005896053.tif 000018
【図１８】
0005896053.tif 000019
【図１９】
0005896053.tif 000020
【図２０】
0005896053.tif 000021
【図２１】
0005896053.tif 000022
【図２２】
0005896053.tif 000023
【図２３】
0005896053.tif 000024
【図２４】
0005896053.tif 000025